(57)【要約】  本発明は階層的セル構造を有する無線通信システムでの干渉制御装置及び方法に関する。本発明による階層的セル構造を有する無線通信システムでのマクロ端末の動作方法は、マクロ基地局が割り当てた測定識別子（ｍｅａｓｕｒｅｍｅｎｔ  ｉｄｅｎｔｉｆｉｅｒ）毎にブランキングトリガ用測定報告構成（ｍｅａｓｕｒｅｍｅｎｔ  ｒｅｐｏｒｔｉｎｇ  ｃｏｎｆｉｇｕｒａｔｉｏｎ）を設定する過程と、隣接基地局の受信信号強度を測定する過程と、前記測定された受信信号強度値と、ブランキングトリガ用測定報告構成の基準受信信号強度値とを比較する過程と、比較結果に応じて、マクロ基地局にピコ基地局のブランキングトリガ用測定報告構成に対応する測定識別子を含む測定報告メッセージを伝送する過程と、を含むことを特徴とする。
2013526820.tif 000002
【特許請求の範囲】
【請求項１】
マクロ基地局が割り当てた測定識別子毎にブランキングトリガ用測定報告構成を設定する過程と、
隣接基地局の受信信号強度を測定する過程と、
前記測定された受信信号強度値と、ブランキングトリガ用測定報告構成の基準受信信号強度値とを比較する過程と、
比較結果に応じて、マクロ基地局にピコ基地局のブランキングトリガ用測定報告構成に対応する測定識別子を含む測定報告メッセージを伝送する過程と、を含むことを特徴とする階層的セル構造を有する無線通信システムでのマクロ端末の動作方法。
【請求項２】
前記マクロ基地局から無線資源制御(ＲＲＣ)連結再構成メッセージを受信する過程をさらに含み、
前記ＲＲＣ連結再構成メッセージは、マクロ基地局が割り当てた測定識別子毎のブランキングトリガ用測定報告構成とハンドオーバトリガ用測定報告構成に対する情報を含むことを特徴とする請求項１に記載の階層的セル構造を有する無線通信システムでのマクロ端末の動作方法。
【請求項３】
前記比較過程及び伝送過程は、
前記測定された受信信号強度値がピコ基地局毎の該当ピコ基地局のブランキングトリガ用測定報告構成の進入状態を満たすか否かを判断し、前記測定された受信信号強度値が隣接したピコ基地局のブランキングトリガ用測定報告構成の進入状態を満たすと判断した場合、前記マクロ基地局に該当ピコ基地局のブランキングトリガ用測定報告構成に対応する測定識別子とブランキング領域内に進入したことを示す測定結果値を含む測定報告メッセージを伝送する過程と、
前記測定された受信信号強度値が前に前記マクロ端末に対してブランキング動作を行っていたピコ基地局のブランキングトリガ用測定報告構成の離脱状態を満たすか否かを判断し、前記測定された受信信号強度値が前に前記マクロ端末に対してブランキング動作を行っていたピコ基地局のブランキングトリガ用測定報告構成の離脱状態を満たすと判断した場合、前記マクロ基地局に該当ピコ基地局のブランキングトリガ用測定報告構成に対応する測定識別子とブランキング領域から離脱したことを示す測定結果値を含む測定報告メッセージを伝送する過程と、
前記測定された受信信号強度値が隣接したピコ基地局のハンドオーバトリガ用測定報告構成の進入状態を満たすか否かを判断し、前記測定された受信信号強度値が隣接したピコ基地局のハンドオーバトリガ用測定報告構成の進入状態を満たすと判断した場合、前記マクロ基地局に該当ピコ基地局のハンドオーバトリガ用測定報告構成に対応する測定識別子と測定結果値を含む測定報告メッセージを伝送する過程と、を含むことを特徴とする請求項１に記載の階層的セル構造を有する無線通信システムでのマクロ端末の動作方法。
【請求項４】
マクロ端末にブランキングトリガ用測定報告構成が設定された測定識別子を割り当てる過程と、
マクロ端末から測定報告メッセージを受信する過程と、
前記受信された測定報告メッセージでピコ基地局のブランキングトリガ用測定報告構成に対応する測定識別子を確認する過程と、
前記確認された測定識別子を基に、ブランキング用の原因値を含むハンドオーバ要求メッセージをモビリティ管理エンティティ（ＭＭＥ）へ伝送する過程と、を含むことを特徴とする階層的セル構造を有する無線通信システムでのマクロ基地局の動作方法。
【請求項５】
前記マクロ端末に無線資源制御(ＲＲＣ)連結再構成メッセージを伝送する過程をさらに含み、
前記ＲＲＣ連結再構成メッセージは、マクロ基地局が割り当てた測定識別子毎のブランキングトリガ用測定報告構成とハンドオーバトリガ用測定報告構成に対する情報を含むことを特徴とする請求項４に記載の階層的セル構造を有する無線通信システムでのマクロ基地局の動作方法。
【請求項６】
前記伝送過程は、
前記受信された測定報告メッセージでピコ基地局のブランキングトリガ用測定報告構成に対応する測定識別子が確認された場合、前記受信された測定報告メッセージ内の測定結果値を確認する過程と、
前記確認された測定結果値がブランキング領域内に進入したことを示した場合、ＭＭＥにブランキング動作を要求するための原因値が含まれたハンドオーバ要求メッセージを伝送する過程と、
前記確認された測定結果値がブランキング領域から離脱したことを示した場合、ＭＭＥにブランキング動作を解除するための原因値が含まれたハンドオーバ要求メッセージを伝送する過程と、
前記受信された測定報告メッセージでピコ基地局のハンドオーバトリガ用測定報告構成に対応する測定識別子が確認された場合、ＭＭＥにハンドオーバ用の原因値が含まれたハンドオーバ要求メッセージを伝送する過程と、を含むことを特徴とする請求項４に記載の階層的セル構造を有する無線通信システムでのマクロ基地局の動作方法。
【請求項７】
モビリティ管理エンティティからハンドオーバ要求メッセージを受信する過程と、
前記受信されたハンドオーバ要求メッセージでブランキング用の原因値を確認する過程と、
前記確認された原因値を基に、該当マクロ端末に対してブランキング動作を開始する、またはブランキング動作を終了する過程と、を含むことを特徴とする階層的セル構造を有する無線通信システムでのピコ基地局の動作方法。
【請求項８】
前記ブランキング動作開始又は終了過程は、
前記確認された原因値がブランキング動作を要請するための原因値である場合、前記マクロ端末に対するブランキング動作の遂行に必要な無線リソースの量を可変に決定し、前記可変に決定された無線リソースの量を基に前記マクロ端末に対してブランキング動作を開始する過程と、
前記確認された原因値がブランキング動作を解除するための原因値又はハンドオーバ用の原因値である場合、前記マクロ端末に対してブランキング動作を終了する過程と、を含むことを特徴とする請求項７に記載の階層的セル構造を有する無線通信システムでのピコ基地局の動作方法。
【請求項９】
マクロ基地局が割り当てた測定識別子毎にブランキングトリガ用測定報告構成を設定し、隣接基地局の受信信号強度を測定した後、前記測定された受信信号強度値と、ブランキングトリガ用測定報告構成の基準受信信号強度値とを比較し、比較結果に応じて、ピコ基地局のブランキングトリガ用測定報告構成に対応する測定識別子を含む測定報告メッセージを生成する報告情報測定部と、
前記生成された測定報告メッセージをマクロ基地局に伝送する送信部と、を含むことを特徴とする階層的セル構造を有する無線通信システムでのマクロ端末。
【請求項１０】
前記マクロ基地局から無線資源制御(ＲＲＣ)連結再構成メッセージを受信する受信部をさらに含み、
前記ＲＲＣ連結再構成メッセージは、マクロ基地局が割り当てた測定識別子毎のブランキングトリガ用測定報告構成とハンドオーバトリガ用測定報告構成に対する情報を含むことを特徴とする請求項９に記載の階層的セル構造を有する無線通信システムでのマクロ端末。
【請求項１１】
前記報告情報測定部は、
前記測定された受信信号強度値がピコ基地局毎の該当ピコ基地局のブランキングトリガ用測定報告構成の進入状態を満たすか否かを判断し、前記測定された受信信号強度値が隣接したピコ基地局のブランキングトリガ用測定報告構成の進入状態を満たすと判断した場合、該当ピコ基地局のブランキングトリガ用測定報告構成に対応する測定識別子とブランキング領域内に進入したことを示す測定結果値を含む測定報告メッセージを生成し、
前記測定された受信信号強度値が前に前記マクロ端末に対してブランキング動作を行っていたピコ基地局のブランキングトリガ用測定報告構成の離脱状態を満たすか否かを判断し、前記測定された受信信号強度値が前に前記マクロ端末に対してブランキング動作を行っていたピコ基地局のブランキングトリガ用測定報告構成の離脱状態を満たすと判断した場合、該当ピコ基地局のブランキングトリガ用測定報告構成に対応する測定識別子とブランキング領域を離脱したことを示す測定結果値を含む測定報告メッセージを生成し、
前記測定された受信信号強度値が隣接したピコ基地局のハンドオーバトリガ用測定報告構成の進入状態を満たすか否かを判断し、前記測定された受信信号強度値が隣接したピコ基地局のハンドオーバトリガ用測定報告構成の進入状態を満たすと判断した場合、該当ピコ基地局のハンドオーバトリガ用測定報告構成に対応する測定識別子と測定結果値を含む測定報告メッセージを生成することを特徴とする請求項９に記載の階層的セル構造を有する無線通信システムでのマクロ端末。
【請求項１２】
マクロ端末から測定報告メッセージを受信する受信部と、
マクロ端末にブランキングトリガ用測定報告構成が設定された測定識別子を割り当て、前記受信された測定報告メッセージでピコ基地局のブランキングトリガ用測定報告構成に対応する測定識別子を確認し、前記確認された測定識別子を基に、ブランキング用の原因値を含むハンドオーバ要求メッセージを生成する報告情報管理部と、
前記生成されたハンドオーバ要求メッセージをモビリティ管理エンティティ(MME)へ伝送するハンドオーバ関連メッセージ送受信部と、を含むことを特徴とする階層的セル構造を有する無線通信システムでのマクロ基地局。
【請求項１３】
前記マクロ端末に無線資源制御(ＲＲＣ)連結再構成メッセージを伝送する送信部をさらに含み、
前記ＲＲＣ連結再構成メッセージは、マクロ基地局が割り当てた測定識別子毎のブランキングトリガ用測定報告構成とハンドオーバトリガ用測定報告構成に対する情報を含み、
前記報告情報管理部は、
前記受信された測定報告メッセージでピコ基地局のブランキングトリガ用測定報告構成に対応する測定識別子が確認された場合、前記受信された測定報告メッセージ内の測定結果値を確認し、
前記確認された測定結果値がブランキング領域内に進入したことを示した場合、ブランキング動作を要請するための原因値が含まれたハンドオーバ要求メッセージを生成し、
前記確認された測定結果値がブランキング領域から離脱したことを示した場合、ブランキング動作を解除するための原因値が含まれたハンドオーバ要求メッセージを生成し、
前記受信された測定報告メッセージでピコ基地局のハンドオーバトリガ用測定報告構成に対応する測定識別子が確認された場合、ハンドオーバ用の原因値が含まれたハンドオーバ要求メッセージを生成することを特徴とする請求項１２に記載の階層的セル構造を有する無線通信システムでのマクロ基地局。
【請求項１４】
モビリティ管理エンティティからハンドオーバ要求メッセージを受信するハンドオーバ関連メッセージ送受信部と、
前記受信されたハンドオーバ要求メッセージでブランキング用の原因値を確認し、前記確認された原因値を基に、該当マクロ端末に対してブランキング動作を開始する、またはブランキング動作を終了するブランキング制御部と、を含むことを特徴とする階層的セル構造を有する無線通信システムでのピコ基地局。
【請求項１５】
前記ブランキング制御部は、
前記確認された原因値がブランキング動作を要求するための原因値である場合、前記マクロ端末に対するブランキング動作の遂行に必要な無線リソースの量を可変に決定し、前記可変に決定された無線リソースの量を基に前記マクロ端末に対してブランキング動作を開始し、
前記確認された原因値がブランキング動作を解除するための原因値又はハンドオーバ用の原因値である場合、前記マクロ端末に対してブランキング動作を終了することを特徴とする請求項１４に記載の階層的セル構造を有する無線通信システムでのピコ基地局。
【発明の詳細な説明】
【技術分野】
【０００１】
本発明は、階層的セル構造を有する無線通信システムでの基地局間の干渉制御装置及び方法に関し、特にマクロセルの領域内にピコセルが存在する場合、ピコセルがマクロセルに及ぼす干渉を最小化させるための周波数帯域割り当て装置及び方法に関する。
【背景技術】
【０００２】
最近、セルラー方式の無線通信システムで基地局間の端末の移動又は基地局と端末の間の劣悪なチャネル状態によって生じ得る不感地域の問題を解決しながら高水準のデータサービスを提供するためにピコセル（Ｐｉｃｏ−ｃｅｌｌ）の概念が提案されている。前記ピコセルはマクロセル（Ｍａｃｒｏ−ｃｅｌｌ）に比べて小型のセル領域を有し、１つのマクロセル領域内には複数のピコセルが存在し得る。前記ピコセルはマクロセル（Ｍａｃｒｏ−ｃｅｌｌ）に比べて小型のセル領域を有し、１つのマクロセル領域内には複数のピコセルが存在することがある。
【０００３】
前記マクロセルとピコセルは互いに異なる周波数帯域を使用する、または同じ周波数帯域を使用することができる。前記マクロセルとピコセルが互いに異なる周波数帯域を使用する場合、各セルによって使用される周波数帯域の外へ漏れる（ｏｕｔ−ｏｆ−ｂａｎｄ  ｅｍｉｓｓｉｏｎ）信号によってのみ干渉が発生し、したがってピコセルを少ない電力で運営して前記干渉問題を解決することができる。しかし、追加的な周波数帯域を使用しなければならず、周波数帯域に対する効率が低いという問題点がある。一方、前記マクロセルとピコセルが同じ周波数帯域を使用する場合、周波数帯域を追加的に使用する必要がない長所はあるが、前記マクロセルとピコセル間に多くの干渉が生じる問題点がある。
【０００４】
このようなセル間干渉を制御するために様々な技法が提供されており、その代表的な例としてＦＦＲ（Ｆｒａｃｔｉｏｎａｌ  Ｆｒｅｑｕｅｎｃｙ  Ｒｅｕｓｅ）技法がある。前記ＦＦＲ技法はセル全体効率を最大限維持しながらセル境界部分の効率を向上させるためのもので、図１に示すように、セルの領域を内部領域と外部領域に分離した後、セル内部領域の周波数再使用率を１に設定し、セル外部領域の周波数再使用率を３に設定することで、各セルの外部領域のための周波数帯域が同時に使用されないようにする技法である。すなわち、セル外部領域のための周波数帯域を３つの部分帯域に分け、各セルの外部領域に位置するユーザに対しては隣接セル間の周波数帯域が重複しない部分帯域を割り当てる。
【０００５】
しかし、前記のようなＦＦＲ技法は互いに類似した大きさのセルが水平的に連続して存在する水平セル構造（Ｈｏｒｉｚｏｎｔａｌ  ｃｅｌｌ  ｌａｙｏｕｔ）に適合した技法であって、１つのマクロセルの領域内に１つ以上のピコセルが存在する階層的セル構造では適用することが難しいという問題点がある。
【発明の概要】
【発明が解決しようとする課題】
【０００６】
本発明は、上述のような問題点を解決するためになされたものであって、本発明の目的は、階層的セル構造を有する無線通信システムで基地局間の干渉制御装置及び方法を提供することにある。
【０００７】
本発明の他の目的は、階層的セル構造を有する無線通信システムでピコセルがマクロセルに及ぼす干渉を最小化させるための周波数帯域割り当て装置及び方法を提供することにある。
【０００８】
本発明のさらに他の目的は、階層的セル構造を有する無線通信システムでマクロセルとピコセルが同時に使用していない一部の周波数帯域、すなわちエッジバンド（ｅｄｇｅ−ｂａｎｄ）を利用してピコセルが隣接したマクロ端末に及ぼす干渉を減少させるための装置及び方法を提供することにある。
【０００９】
本発明のさらに他の目的は、階層的セル構造を有する無線通信システムでピコ基地局が隣接したマクロ端末に及ぼす干渉を減少させるために、ピコ端末に割り当てない、または送受信電力を制限して割り当てることで、エッジバンド（ｅｄｇｅ−ｂａｎｄ）の量を可変に決定する適応的ブランキング（ａｄａｐｔｉｖｅ  ｂｌａｎｋｉｎｇ）装置及び方法を提供することにある。
【課題を解決するための手段】
【００１０】
上述した目的を達成するための本発明の第１見地によれば、階層的セル構造を有する無線通信システムでのマクロ端末の動作方法は、マクロ基地局が割り当てた測定識別子（ｍｅａｓｕｒｅｍｅｎｔ  ｉｄｅｎｔｉｆｉｅｒ）毎にブランキングトリガ用測定報告構成（ｍｅａｓｕｒｅｍｅｎｔ  ｒｅｐｏｒｔｉｎｇ  ｃｏｎｆｉｇｕｒａｔｉｏｎ）を設定する過程と、隣接基地局の受信信号強度を測定する過程と、前記測定された受信信号強度値と、ブランキングトリガ用測定報告構成の基準受信信号強度値とを比較する過程と、比較結果に応じて、マクロ基地局にピコ基地局のブランキングトリガ用測定報告構成に対応する測定識別子を含む測定報告メッセージを伝送する過程と、を含むことを特徴とする。
【００１１】
本発明の第２見地によれば、階層的セル構造を有する無線通信システムでのマクロ基地局の動作方法は、マクロ端末にブランキングトリガ用測定報告構成が設定された測定識別子を割り当てる過程と、マクロ端末から測定報告メッセージを受信する過程と、前記受信された測定報告メッセージでピコ基地局のブランキングトリガ用測定報告構成に対応する測定識別子を確認する過程と、前記確認された測定識別子を基に、ブランキング用の原因値（ｃａｕｓｅ  ｖａｌｕｅ）を含むハンドオーバ要求メッセージをモビリティ管理エンティティ（ＭＭＥ：Ｍｏｂｉｌｅ  Ｍａｎａｇｅｍｅｎｔ  Ｅｎｔｉｔｙ）へ伝送する過程と、を含むことを特徴とする。
【００１２】
本発明の第３見地によれば、階層的セル構造を有する無線通信システムでのピコ基地局の動作方法は、モビリティ管理エンティティからハンドオーバ要求メッセージを受信する過程と、前記受信されたハンドオーバ要求メッセージでブランキング用の原因値を確認する過程と、前記確認された原因値を基に、該当マクロ端末に対してブランキング動作を開始する、またはブランキング動作を終了する過程と、を含むことを特徴とする。
【００１３】
本発明の第４見地によれば、階層的セル構造を有する無線通信システムでのマクロ端末は、マクロ基地局が割り当てた測定識別子毎にブランキングトリガ用測定報告構成を設定し、隣接基地局の受信信号強度を測定した後、前記測定された受信信号強度値と、ブランキングトリガ用測定報告構成の基準受信信号強度値とを比較して、比較結果に応じて、ピコ基地局のブランキングトリガ用測定報告構成に対応する測定識別子を含む測定報告メッセージを生成する報告情報測定部と、前記生成された測定報告メッセージをマクロ基地局に伝送する送信部と、を含むことを特徴とする。
【００１４】
本発明の第５見地によれば、階層的セル構造を有する無線通信システムでのマクロ基地局は、マクロ端末から測定報告メッセージを受信する受信部と、マクロ端末にブランキングトリガ用測定報告構成が設定された測定識別子を割り当て、前記受信された測定報告メッセージでピコ基地局のブランキングトリガ用測定報告構成に対応する測定識別子を確認し、前記確認された測定識別子を基に、ブランキング用の原因値を含むハンドオーバ要求メッセージを生成する報告情報管理部と、前記生成されたハンドオーバ要求メッセージをモビリティ管理エンティティへ伝送するハンドオーバ関連メッセージ送受信部と、を含むことを特徴とする。
【００１５】
本発明の第６見地によれば、階層的セル構造を有する無線通信システムでのピコ基地局は、モビリティ管理エンティティからハンドオーバ要求メッセージを受信するハンドオーバ関連メッセージ送受信部と、前記受信されたハンドオーバ要求メッセージでブランキング用の原因値を確認し、前記確認された原因値を基に、該当マクロ端末に対してブランキング動作を開始する、またはブランキング動作を終了するブランキング制御部を含むことを特徴とする。
【発明の効果】
【００１６】
本発明は、階層的セル構造を有する無線通信システムで適応的ブランキング装置及び方法を提供することによって、ピコ基地局が隣接したマクロ端末に及ぼす干渉を減少させて、マクロ端末の通信品質の低下を防止できる利点がある。また、ピコ基地局が隣接したマクロ端末に及ぼす干渉を減少させるために、ピコ端末に割り当てない、または送受信電力を制限して割り当てることで、エッジバンドの量を可変に決定することによって、ピコ基地局の無線リソース使用効率を改善できる利点がある。
【図面の簡単な説明】
【００１７】
【図１】従来の技術による無線通信システムでＦＦＲ技法を示す図である。
【図２】本発明による階層的セル構造を有する無線通信システムで周波数帯域の割り当て方法を示す図である。
【図３】本発明の第１実施形態による階層的セル構造を有する無線通信システムで基地局間のハンドオーバ手順に使用される基地局間のメッセージの原因値を変換して再使用することによって適応的ブランキング動作を行う方法の手順を示す図である。
【図４】本発明の第１実施形態による階層的セル構造を有する無線通信システムで測定報告構成の設定方法を示す図である。
【図５】本発明の第１実施形態による階層的セル構造を有する無線通信システムで適応的ブランキング開始手順を示す図である。
【図６】本発明の第１実施形態による階層的セル構造を有する無線通信システムでハンドオーバによる適応的ブランキング解除手順を示す図である。
【図７】本発明の第１実施形態による階層的セル構造を有する無線通信システムでブランキング領域からの離脱による適応的ブランキング解除手順を示す図である。
【図８Ａ】本発明の第１実施形態による階層的セル構造を有する無線通信システムでマクロ端末の動作手順を示す図である。
【図８Ｂ】本発明の第１実施形態による階層的セル構造を有する無線通信システムでマクロ端末の動作手順を示す図である。
【図９Ａ】本発明の第１実施形態による階層的セル構造を有する無線通信システムでマクロ基地局の動作手順を示す図である。
【図９Ｂ】本発明の第１実施形態による階層的セル構造を有する無線通信システムでマクロ基地局の動作手順を示す図である。
【図１０】本発明の第１実施形態による階層的セル構造を有する無線通信システムでピコ基地局の動作手順を示す図である。
【図１１】本発明の実施形態による階層的セル構造の無線通信システムでマクロ端末のブロック構成を示す図である。
【図１２】本発明の実施形態による階層的セル構造の無線通信システムでマクロ基地局のブロック構成を示す図である。
【図１３】本発明の実施形態による階層的セル構造の無線通信システムでピコ基地局のブロック構成を示す図である。
【発明を実施するための形態】
【００１８】
以下、添付図面を参照して本発明の動作原理を詳しく説明する。以下で本発明を説明するに当たって、関連する公知機能または構成に対する具体的な説明が本発明の要旨を不要に不明確にする恐れがあると判断される場合、その詳細な説明を省略する。そして、後述される用語は、本発明における機能を考慮して定義された用語であって、これはユーザ、運用者の意図または慣例などに応じて異なることがある。したがって、その定義は本明細書全般にわたる内容に基づいて行われるべきである。
【００１９】
以下、本発明では階層的セル構造を有する無線通信システムでピコセルがマクロセルに及ぼす干渉を最小化させるための周波数帯域割り当て方法を提示する。
【００２０】
ここで、前記階層的セル構造を有する無線通信システムは互いに異なる大きさのセルが共存する無線通信システムを意味するものであって、本発明ではマクロセルとピコセルが共存する無線通信システムを例に挙げて説明するが、互いに異なる大きさのセルが共存する全ての無線通信システムに適用できることは無論である。
【００２１】
以下、本発明ではマクロセルの領域内にピコセルが存在し、前記マクロセルとピコセルが同じ周波数帯域を使用する場合を仮定して説明し、マクロ基地局からサービスを提供される端末をマクロ端末と称し、ピコ基地局からサービスを提供される端末をピコ端末と称することにする。
図２は、本発明による階層的セル構造を有する無線通信システムでの周波数帯域の割り当て方法を示す図である。
【００２２】
前記図２を参照すると、マクロ基地局２０２が管理するマクロセル２００領域内にピコ基地局２１２が管理するピコセル２１０が階層的に存在し、マクロ端末２２２がピコセル２１０に隣接して前記ピコセル２１０から多くの干渉を受けると仮定する。
【００２３】
本発明ではマクロセル２００とピコセル２１０が使用する全体周波数帯域のうち、マクロセル２００とピコセル２１０が同時に使用していない一部の周波数帯域を確保し、マクロ基地局２０２がピコセル２１０に隣接して前記ピコセル２１０から多くの干渉を受けるマクロ端末２２２に、前記ピコセル２１０によって使用されていない前記一部の周波数帯域を割り当てることによって、ピコセル２１０が隣接したマクロ端末２２２に及ぼす干渉を減少させることができる。ピコ基地局２１２は前記一部の周波数帯域をピコ端末２３２に割り当てない、または前記マクロ端末２２２に干渉の影響を与えない非常に低い送受信電力で割り当てることができる。
【００２４】
本発明では前記一部の周波数帯域をエッジバンド（ｅｄｇｅ−ｂａｎｄ）と称することにする。ここで、前記エッジバンドは階層的セル構造でデータ及び制御情報を送受信するために使用される物理的無線リソースであって、１つ以上のサブ帯域（Ｓｕｂｂａｎｄ）又は１つ以上の物理リソースブロック（Ｐｈｙｓｉｃａｌ  Ｒｅｓｏｕｒｃｅ  Ｂｌｏｃｋ：ＰＲＢ）で構成されることができる。また、多重搬送波システムの場合、前記エッジバンドは１つ以上のコンポーネントキャリア（Ｃｏｍｐｏｎｅｎｔ  Ｃａｒｒｉｅｒ：ＣＣ）で構成されることができる。
【００２５】
また、本発明では隣接したマクロ端末２２２に及ぼす干渉を減少させるために、ピコ基地局２１２がピコ端末２３２にエッジバンドを割り当てない、または送受信電力を制限して割り当てる動作をブランキング（ｂｌａｎｋｉｎｇ）動作と称することにする。
【００２６】
前記ピコ基地局２１２から多くの干渉を受けるマクロ端末２２２が存在しない場合、すなわちブランキング動作を必要とするマクロ端末２２２が存在しない場合、ピコ基地局２１２はブランキング動作を中断して前記ブランキング動作の遂行に使用されるエッジバンドをピコ端末２３２に割り当てピコ基地局２１２のセル容量を増加させる。また、ピコ基地局２１２から多くの干渉を受けるマクロ端末２２２が発生又は増加した場合、すなわちブランキング動作を必要とするマクロ端末２２２が発生又は増加した場合、ピコ基地局２１２はこのような発生又は増加があったことを認知し、ブランキング動作の遂行に使用されるエッジバンドの量を増加させてピコ基地局２１２から多くの干渉を受ける全てのマクロ端末２２２に対する干渉を減少させる。ここで、ピコ基地局２１２はブランキング動作を必要とするマクロ端末２２２の数、マクロ端末２２２のデータ伝送量、マクロ端末２２２とマクロ基地局２０２の間の無線チャネル環境のうち１つ以上を考慮してエッジバンドの量を可変に決定する。
【００２７】
以下、本発明では階層的セル構造を有する無線通信システムでピコ基地局がブランキング動作の遂行のために必要なエッジバンドの量を可変に決定する適応的ブランキング（ａｄａｐｔｉｖｅ  ｂｌａｎｋｉｎｇ）方法について説明する。特に、ブランキング開始及び終了時点とブランキングに使用される無線リソースの量を可変に決定する方法について説明する。
【００２８】
本発明で提案する適応的ブランキング動作は、マクロ端末がピコ基地局によって干渉を受けることになったことを認知するブランキングトリガリング（ｂｌａｎｋｉｎｇ  ｔｒｉｇｇｅｒｉｎｇ）ステップと、マクロ基地局がピコ基地局にブランキングを要請するブランキング要請（ｂｌａｎｋｉｎｇ  ｒｅｑｕｅｓｔ）ステップと、ピコ基地局がブランキング動作の遂行のために必要なエッジバンドの量を可変に決定して前記可変に決定された量のエッジバンドをピコ端末に割り当てないブランキング開始（ｂｌａｎｋｉｎｇ  ｓｔａｒｔ）ステップと、ピコ基地局がブランキング動作のためのエッジバンドの設定を解除するブランキング終了（ｂｌａｎｋｉｎｇ  ｓｔｏｐ）ステップと、で構成される。
【００２９】
そして、上記ステップはマクロ端末毎に行われる。すなわち、マクロ基地局はブランキング動作の遂行が必要なマクロ端末を認知し、マクロ端末毎にピコ基地局にブランキングを要請する。ピコ基地局はマクロ基地局からブランキング動作の遂行が必要という要請を受けたマクロ端末のそれぞれに対してブランキング動作の遂行に必要な無線リソースの量、例えば、サブ帯域の数（以下、「ブランキングサブ帯域の数」と称する）を決定し、これを結合して該当時点でのピコ基地局の全体ブランキングサブ帯域の数を決定する。
【００３０】
ここで、ピコ基地局が設定可能なブランキングサブ帯域の数の最大値は予め決定され、前記結合して決定された全体ブランキングサブ帯域の数と前記設定可能な最大値のうち小さい値分のサブ帯域の数を実際のブランキングに使用する。前記設定可能な最大値はマクロ端末の通話品質重要度を考慮して適合した値に設定される変数であって、プロバイダがピコ基地局のシステム容量よりマクロ端末の通話品質重要度を高く設定しようとする場合、ピコ基地局が最大限割り当て可能な無線リソースの量に設定できる。
【００３１】
以下、本発明はこのような適応的ブランキング動作をＬＴＥ標準規格に基づいて説明するが、これに限定するものではなく、本発明では２つの実施形態を提案する。
【００３２】
そのうち、第１実施形態は基地局間のハンドオーバ手順に使用される基地局間のメッセージの原因値を変換して再使用することによって適応的ブランキング動作を行う方法である。
【００３３】
次に、第２実施形態は基地局間のハンドオーバ手順に使用される基地局間のメッセージに端末測定（ＵＥ  ｍｅａｓｕｒｅｍｅｎｔ）関連情報を新しい情報エレメント（ＩＥ：Ｉｎｆｏｒｍａｔｉｏｎ  Ｅｌｅｍｅｎｔ）として追加することによって適応的ブランキング動作を行う方法である。
【００３４】
図３は、本発明の第１実施形態による階層的セル構造を有する無線通信システムで基地局間のハンドオーバ手順に使用される基地局間のメッセージの原因値を変換して再使用することによって適応的ブランキング動作を行う方法の手順を示す図である。前記図３では発明の説明を容易にするために、３ＧＰＰ標準規格で基地局間のハンドオーバ手順のために定義されたＳ１インタフェース上のハンドオーバ準備（ｐｒｅｐａｒａｔｉｏｎ）手順関連メッセージを例に挙げて説明するが、Ｘ２インタフェース上のハンドオーバ準備手順関連メッセージが同様に適用され得る。また、前記第１実施形態は他のモビリティ管理エンティティ又は別途のピコゲートウェイ（Ｇａｔｅｗａｙ）がネットワークエンティティ（Ｎｅｔｗｏｒｋ  ｅｎｔｉｔｙ）に定義された場合にも同様に適用され得る。
【００３５】
前記図３を参照すると、ステップ１（ｓｔｅｐ１）で、マクロ基地局３００はセル内のマクロ端末３１０に無線資源制御(ＲＲＣ) 連結再構成（ｃｏｎｎｅｃｔｉｏｎ  ｒｅｃｏｎｆｉｇｕｒａｔｉｏｎ）メッセージを伝送してピコ基地局３３０が使用する周波数に該当する１つの測定対象識別子（ｍｅａｓｕｒｅｍｅｎｔ  ｏｂｊｅｃｔ  ｉｄｅｎｔｉｆｉｅｒ）に対して２つ以上の複数個の測定報告構成を設定する。すなわち、マクロ端末３１０がブランキング動作の遂行が必要な状況に達したことを認知するためのブランキングトリガ用測定報告構成とマクロ端末３１０がハンドオーバ動作の遂行が必要な状況に達したことを認知するためのハンドオーバトリガ用測定報告構成を別途の測定識別子（ＭｅａｓＩＤ：Ｍｅａｓｕｒｅｍｅｎｔ  ＩＤ）で区分して設定する。ここで、前記ステップ１については、後に図４を参照して詳細に説明する。
【００３６】
ステップ２（ｓｔｅｐ２）で、マクロ端末３１０がピコ基地局３３０の隣接地域に到達してブランキングトリガ用測定報告構成の報告基準（ｒｅｐｏｒｔｉｎｇ  ｃｒｉｔｅｒｉａ）を満たした場合、すなわちブランキング領域に進入した場合、マクロ端末３１０はサービング基地局であるマクロ基地局３００にブランキングトリガ用測定識別子を含む測定報告（Ｍｅａｓｕｒｅｍｅｎｔ  Ｒｅｐｏｒｔ）メッセージを伝送してその旨を報告する。
【００３７】
ステップ３（ｓｔｅｐ３）で、マクロ基地局３００はマクロ端末３１０から受信された測定報告メッセージ内の測定識別子（ＭｅａｓＩＤ）を介して該当マクロ端末３１０に対してピコ基地局３３０のブランキング動作の遂行が必要か否かを認知でき、該当マクロ端末３１０に対してピコ基地局３３０のブランキング動作の遂行が必要であると認知した場合、前記測定報告メッセージに含まれた基地局識別子を有するピコ基地局３３０にブランキング動作を要請する。一例として、マクロ基地局３００はブランキング動作を要請するために原因値が「Ｂｌａｎｋ  ＯＮ」に設定されたハンドオーバ要求（ＨＯ  ｒｅｑｕｉｒｅｄ）メッセージをＭＭＥ３２０に伝送し、これを受信したＭＭＥ３２０は原因値が「Ｂｌａｎｋ  ＯＮ」に設定されたハンドオーバ要請（ＨＯ  ｒｅｑｕｅｓｔ）メッセージを前記ピコ基地局３３０に伝達する。ここで、前記ステップ３については、後に図５を参照して詳細に説明する。
【００３８】
ステップ４（ｓｔｅｐ４）で、原因値が「Ｂｌａｎｋ  ＯＮ」に設定されたハンドオーバ要請（ＨＯ  ｒｅｑｕｅｓｔ）メッセージを受信したピコ基地局３３０はハンドオーバ準備手順の代りに該当マクロ端末３１０に対するブランキング動作を開始する。この時、ピコ基地局３３０は該当マクロ端末３１０に対するブランキング動作の遂行に必要な無線リソースの量を決定する。一例として、ピコ基地局３３０はハンドオーバ要請メッセージ内に含まれた前記マクロ端末３１０のユーザ情報（例えば、該当ユーザのサービス種類、データ伝送率）を用いて必要な無線リソースの量を決定することができ、前記端末の測定報告情報（例えば、物理的チャネルのリンク品質（ｌｉｎｋ  Ｑｕａｌｉｔｙ））を伝達された場合、前記測定報告情報を追加的に用いて必要な無線リソースの量をさらに正確に決定することができる。
【００３９】
ステップ５（ｓｔｅｐ５）で、ブランキング領域に進入したマクロ端末３１０がピコ基地局３３０のセル領域にさらに接近してハンドオーバトリガ用測定報告構成の報告基準を満たした場合、マクロ端末３１０はサービング基地局であるマクロ基地局３００にハンドオーバトリガ用測定識別子を含む測定報告メッセージを伝送してその旨を報告する。
【００４０】
ステップ６（ｓｔｅｐ６）で、マクロ基地局３００はマクロ端末３１０から受信された測定報告メッセージ内の測定識別子を介して該当マクロ端末３１０に対してピコ基地局３３０へのハンドオーバ動作の遂行が必要か否かを認知でき、該当マクロ端末３１０に対してピコ基地局３３０のハンドオーバ動作の遂行が必要であると認知した場合、前記測定報告メッセージに含まれた基地局識別子を有するピコ基地局３３０にハンドオーバ準備手順を要請する。一例として、マクロ基地局３００は、ブランキング動作を要請するために定義された原因値ではなく、ハンドオーバ用の原因値が含まれたハンドオーバ要求（ＨＯ  ｒｅｑｕｉｒｅｄ）メッセージをＭＭＥ３２０に伝送し、これを受信したＭＭＥ３２０はハンドオーバ用の原因値が含まれたハンドオーバ要請（ＨＯ  ｒｅｑｕｅｓｔ）メッセージを前記ピコ基地局３３０に伝達する。ここで、前記ステップ６については、後に図６を参照して詳細に説明する。
【００４１】
ステップ７（ｓｔｅｐ７）で、ハンドオーバ用の原因値が含まれたハンドオーバ要請（ＨＯ  ｒｅｑｕｅｓｔ）メッセージを受信したピコ基地局３３０は該当マクロ端末３１０に対するハンドオーバ準備手順を正常に行い、該当マクロ端末３１０に対するハンドオーバ手順が正常に完了した後、前記マクロ端末３１０のためのブランキング動作の遂行を終了する。
【００４２】
図４は、本発明の第１実施形態による階層的セル構造を有する無線通信システムでの測定報告構成の設定方法を示す図である。
【００４３】
前記図４を参照すると、マクロ基地局はセル内のマクロ端末にＲＲＣ連結再構成メッセージを伝送してピコ基地局３３０が使用する周波数に該当する１つの測定対象識別子に対して２つ以上の複数個の測定報告構成を設定する。すなわち、マクロ端末がブランキング動作の遂行が必要な状況に達したことを認知するためのブランキングトリガ用測定報告構成とマクロ端末がハンドオーバ動作の遂行が必要な状況に達したことを認知するためのハンドオーバトリガ用測定報告構成を別途の測定識別子で区分して設定する。前記図４は測定報告構成設定の一例であって、マクロ基地局は他の測定識別子を有する２つのＲｅｐｏｒｔＣｏｎｆｉｇＥＵＴＲＡ  ＩＥを設定した場合である。
【００４４】
ブランキング用ＲｅｐｏｒｔＣｏｎｆｉｇＥＵＴＲＡ  ＩＥ内のＡ３−ｏｆｆｓｅｔ値は適応的ブランキング動作を制御するための基準受信信号強度（例えば、ＳＮＲ、ＳＩＮＲ、ＣＩＮＲ、ＣＮＲ）の範囲を示す値で、マクロ端末に対してブランキング動作を開始する地点、すなわちブランキングトリガポイントに応じて設定される。一例として、Ａ３−ｏｆｆｓｅｔ値を−１５ｄＢのように低い値に設定すると、ブランキング動作によってピコ基地局から受ける干渉が減少するマクロ端末が増加するが、ピコ基地局は多量の無線リソースをピコ端末に割り当てることができないため、ピコ基地局のシステム容量が減少し得る。ブランキング用ＲｅｐｏｒｔＣｏｎｆｉｇＥＵＴＲＡ  ＩＥに報告基準としてＡ３イベント（ｅｖｅｎｔ）を使用する場合、ＲｅｐｏｒｔＯｎＬｅａｖｅをＴＲＵＥに設定することによって、マクロ端末がブランキング領域から離脱した場合、マクロ基地局に離脱したことを報告するようにする。ＲｅｐｏｒｔＯｎＬｅａｖｅ設定を使用できない他のイベント（Ａ３以外のイベント）を使用する場合、マクロ端末が周期的に測定結果値を報告（ｐｅｒｉｏｄｉｃ  ｒｅｐｏｒｔ）するよう設定してマクロ基地局がマクロ端末がブランキング領域から離脱したことを認知できる。ハンドオーバ用ＲｅｐｏｒｔＣｏｎｆｉｇＥＵＴＲＡ  ＩＥ内のＡ３−ｏｆｆｓｅｔ値はハンドオーバを制御するための基準受信信号強度（例えば、ＳＮＲ、ＳＩＮＲ、ＣＩＮＲ、ＣＮＲ）を示す値である。
【００４５】
図５は、本発明の第１実施形態による階層的セル構造を有する無線通信システムでの適応的ブランキング開始手順を示す図である。
【００４６】
前記図５を参照すると、マクロ基地局５００はマクロ端末５１０から測定報告メッセージを受信し（ステップ５０１）、前記受信された測定報告メッセージ内の測定識別子、基地局識別子及び測定結果値を介して、該当マクロ端末５１０がブランキング領域に進入して該当マクロ端末５１０に対してピコ基地局５３０のブランキング動作の遂行が必要か否かを認知する。一例として、測定識別子がブランキングトリガ用識別子で、基地局識別子がピコ基地局で、測定結果値がブランキングトリガ用測定報告構成の進入状態（Ｅｎｔｅｒｉｎｇ  Ｃｏｎｄｉｔｉｏｎ）に該当する場合にのみブランキング動作の遂行が必要であると判断する。測定識別子と測定結果値は前記条件を満たすが、該当基地局識別子がマクロ基地局である場合にはピコ基地局のブランキング動作の遂行が不要であると判断する。もし、該当マクロ端末５１０に対してピコ基地局５３０のブランキング動作の遂行が必要であると認知した場合、前記マクロ基地局５００は前記測定報告メッセージに含まれた基地局識別子を有するピコ基地局５３０にブランキング動作を要請することができる。
【００４７】
本発明ではマクロ基地局５００とピコ基地局５３０がハンドオーバ手順関連メッセージをブランキング動作要請のためのメッセージに再使用するために新しい原因値として「Ｂｌａｎｋ  ＯＮ」を定義する。前記「Ｂｌａｎｋ  ＯＮ」は標準規格に追加的に定義されることができ、マクロ基地局５００とピコ基地局５３０間の内部定義によって追加されることもできる。また、既存の規格に定義された標準原因値のうち使用されていない値を「Ｂｌａｎｋ  ＯＮ」に置き換えて使用することができる。
【００４８】
したがって、前記マクロ基地局５００は前記測定報告メッセージに含まれた基地局識別子を有するピコ基地局５３０にブランキング動作を要求するために原因値が「Ｂｌａｎｋ  ＯＮ」に設定されたハンドオーバ要求（ＨＯ  ｒｅｑｕｉｒｅｄ）メッセージをＭＭＥ５２０に伝送し（ステップ５０３）、これを受信したＭＭＥ５２０は原因値が「Ｂｌａｎｋ  ＯＮ」に設定されたハンドオーバ要請（ＨＯ  ｒｅｑｕｅｓｔ）メッセージを前記ピコ基地局５３０に伝達する（ステップ５０５）。
【００４９】
前記ピコ基地局５３０はマクロ基地局５００からブランキング動作の遂行が必要という要請を受けたマクロ端末５１０に対してブランキング動作を開始し（ステップ５０７）、ＭＭＥ５２０にハンドオーバ失敗（ＨＯ  ｆａｉｌｕｒｅ）メッセージを伝送する（ステップ５０９）。これを受信したＭＭＥ５２０はマクロ基地局５００にハンドオーバ準備失敗（ＨＯ  ｐｒｅｐａｒａｔｉｏｎ  ｆａｉｌｕｒｅ）メッセージを伝達してブランキング動作要求手順を終了する（ステップ５１１）。ここで、前記マクロ基地局５００は原因値が「Ｂｌａｎｋ  ＯＮ」に設定されたハンドオーバ要求（ＨＯ  ｒｅｑｕｉｒｅｄ）メッセージの伝送後にハンドオーバ準備失敗メッセージが受信されることによって、ブランキング動作の要請に成功したことを確認することができる。この時、選択的に、マクロ基地局５００のハンドオーバ失敗確率統計の収集に障害が発生しないようにハンドオーバ失敗メッセージとハンドオーバ準備失敗メッセージの原因値を「Ｂｌａｎｋ  ＯＮ」に設定できる。
【００５０】
図６は、本発明の第１実施形態による階層的セル構造を有する無線通信システムでのハンドオーバによる適応的ブランキング解除手順を示す図である。
【００５１】
前記図６を参照すると、マクロ基地局６００はマクロ端末６１０から測定報告メッセージを受信し（ステップ６０１）、前記受信された測定報告メッセージ内の測定識別子を介して該当マクロ端末６１０に対してピコ基地局６３０へのハンドオーバ動作の遂行が必要か否かを認知する。一例として、測定識別子がブランキングトリガ用識別子ではない場合はハンドオーバ動作の遂行が必要であると判断する。もし、該当マクロ端末６１０に対してピコ基地局６３０のハンドオーバ動作の遂行が必要であると認知した場合、前記マクロ基地局６００は前記測定報告メッセージに含まれた基地局識別子を有するピコ基地局６３０にハンドオーバ準備手順を要請できる。
【００５２】
したがって、前記マクロ基地局６００は、ブランキング動作を要請するために定義された原因値ではなく、ハンドオーバ用に定義された原因値が含まれたハンドオーバ要求（ＨＯ  ｒｅｑｕｉｒｅｄ）メッセージをＭＭＥ６２０に伝送し（ステップ６０３）、これを受信したＭＭＥ６２０はハンドオーバ用に定義された原因値が含まれたハンドオーバ要請（ＨＯ  ｒｅｑｕｅｓｔ）メッセージを前記ピコ基地局６３０に伝達する（ステップ６０５）。
【００５３】
前記ハンドオーバ用に定義された原因値が含まれたハンドオーバ要請（ＨＯ  ｒｅｑｕｅｓｔ）メッセージを受信したピコ基地局６３０は該当マクロ端末６１０に対するハンドオーバ準備手順を正常に行う（ステップ６０７及びステップ６０９）。すなわち、前記ハンドオーバ要請（ＨＯ  ｒｅｑｕｅｓｔ）メッセージを受信したピコ基地局６３０がハンドオーバを承認した場合、ハンドオーバ要請ＡＣＫメッセージをＭＭＥ６２０に伝送し（ステップ６０７）、これを受信したＭＭＥ６２０はハンドオーバ命令（ＨＯ  ｃｏｍｍａｎｄ）メッセージを前記マクロ基地局６００に伝送する（ステップ６０９）。このように該当マクロ端末６１０に対するハンドオーバ手順が正常に完了した後、前記マクロ端末６１０のためのブランキング動作の遂行を終了する（ステップ６１１）。
【００５４】
図７は、本発明の第１実施形態による階層的セル構造を有する無線通信システムでブランキング領域からの離脱による適応的ブランキング解除手順を示す図である。
【００５５】
前記図７を参照すると、マクロ基地局７００はマクロ端末７１０から測定報告メッセージを受信し（ステップ７０１）、前記受信された測定報告メッセージ内の測定識別子、基地局識別子及び測定結果値を介して、該当マクロ端末７１０がブランキング領域から離脱したためブランキング動作の終了が必要か否かを認知する。一例として測定識別子がブランキングトリガ用識別子で、基地局識別子がピコ基地局で、測定結果値がブランキングトリガ用測定報告構成の離脱状態（Ｌｅａｖｉｎｇ  ｃｏｎｄｉｔｉｏｎ）に該当する場合にのみブランキング動作の終了が必要であると判断する。測定識別子と測定結果値は前記条件を満たすが、該当基地局識別子がマクロ基地局である場合にはピコ基地局のブランキング動作終了が不要であると判断する。もし、該当マクロ端末７１０がブランキング領域から離脱してブランキング動作の終了が必要であると認知した場合、前記マクロ基地局７００は前記測定報告メッセージに含まれた基地局識別子を有するピコ基地局７３０にブランキング動作の解除を要請できる。
【００５６】
本発明ではマクロ基地局７００とピコ基地局７３０がハンドオーバ手順関連メッセージをブランキング動作解除のためのメッセージに再使用するために新しい原因値として「Ｂｌａｎｋ  ＯＦＦ」を定義する。前記「Ｂｌａｎｋ  ＯＦＦ」は標準規格に追加的に定義されることができ、マクロ基地局７００とピコ基地局７３０間の内部定義によって追加されることもできる。また、既存の規格に定義された標準原因値のうち使用されていない値を「Ｂｌａｎｋ  ＯＦＦ」に置き換えて使用することができる。
【００５７】
したがって、前記マクロ基地局７００は前記測定報告メッセージに含まれた基地局識別子を有するピコ基地局７３０にブランキング動作の解除を要求するために原因値が「Ｂｌａｎｋ  ＯＦＦ」に設定されたハンドオーバ要求（ＨＯ  ｒｅｑｕｉｒｅｄ）メッセージをＭＭＥ７２０に伝送し（ステップ７０３）、これを受信したＭＭＥ７２０は原因値が「Ｂｌａｎｋ  ＯＦＦ」に設定されたハンドオーバ要請（ＨＯ  ｒｅｑｕｅｓｔ）メッセージを前記ピコ基地局７３０に伝達する（ステップ７０５）。
【００５８】
前記ピコ基地局７３０はマクロ基地局７００からブランキング動作の解除が必要という要請を受けたマクロ端末７１０に対してブランキング動作を終了し（ステップ７０７）、ＭＭＥ７２０にハンドオーバ失敗（ＨＯ  ｆａｉｌｕｒｅ）メッセージを伝送する（ステップ７０９）。これを受信したＭＭＥ７２０はマクロ基地局７００にハンドオーバ準備失敗（ＨＯ  ｐｒｅｐａｒａｔｉｏｎ  ｆａｉｌｕｒｅ）メッセージを伝達してブランキング動作解除手順を終了する（ステップ７１１）。この時、選択的に、マクロ基地局７００のハンドオーバ失敗確率統計の収集に障害が発生しないようにハンドオーバ失敗メッセージとハンドオーバ準備失敗メッセージの原因値を「Ｂｌａｎｋ  ＯＦＦ」に設定できる。
【００５９】
第２実施形態は第１実施形態と同様にマクロ基地局がハンドオーバ関連メッセージを伝送してピコ基地局にブランキング動作を要求する。第１実施形態との相異点は、ハンドオーバ関連メッセージを受信したピコ基地局がハンドオーバを要請するためのハンドオーバ関連メッセージであるか、またはブランキングを要請するためのハンドオーバ関連メッセージであるかを区分できるように既存のハンドオーバ関連メッセージに端末測定関連情報を追加して伝送するという点である。すなわち、ハンドオーバ関連メッセージであるハンドオーバ要求（ＨＯ  ｒｅｑｕｉｒｅｄ）メッセージとハンドオーバ要請（ＨＯ  ｒｅｑｕｅｓｔ）メッセージには該当端末のＲＲＣコンテナ（Ｃｏｎｔａｉｎｅｒ）情報が含まれるが、ＲＲＣコンテナＩＥ内に端末測定関連情報フィールド（ｆｉｅｌｄ）を追加する方法である。
【００６０】
前記ピコ基地局は前記ハンドオーバ要請メッセージを受信し、前記ハンドオーバ要請メッセージ内のＲＲＣコンテナＩＥに含まれた前記端末測定関連情報を用いてブランキング動作を行うか、またはハンドオーバ動作を行うかを決定する。ここで、前記端末測定関連情報は、ハンドオーバ要求（ＨＯ  ｒｅｑｕｉｒｅｄ）メッセージの伝送が要求されるマクロ端末の最終測定結果値又は測定識別子を含む。
【００６１】
ここで、前記端末測定関連情報として測定識別子（ＭｅａｓＩＤ）を既存のハンドオーバ関連メッセージに追加して伝送した場合、ピコ基地局はハンドオーバ要請（ＨＯ  ｒｅｑｕｅｓｔ）メッセージ内に含まれた測定報告構成ＩＥ（マクロ端末に設定した測定報告構成ＩＥ）を用いて前記測定識別子がハンドオーバトリガ用に割り当てられたものであるか、またはブランキングトリガ用に割り当てられたものであるかを区分できる。
【００６２】
ここで、前記端末測定関連情報として測定結果値を既存のハンドオーバ関連メッセージに追加して伝送した場合、ピコ基地局はハンドオーバ要請（ＨＯ  ｒｅｑｕｅｓｔ）メッセージ内に含まれた測定報告構成ＩＥを用いて前記測定結果値と測定報告構成の進入状態と離脱状態とを比較してハンドオーバトリガ用に割り当てられたものであるか、またはブランキングトリガ用に割り当てられたものであるか、及び、ブランキング動作の開始を要求するものであるか、またはブランキング動作の解除を要求するかを区分できる。
【００６３】
図８は、本発明の第１実施形態による階層的セル構造を有する無線通信システムでのマクロ端末の動作手順を示している。
【００６４】
前記図８を参照すると、マクロ端末は、ステップ８０１で、マクロ基地局からＲＲＣ連結再構成メッセージが受信されたかを判断する。ここで、前記ＲＲＣ連結再構成メッセージは周期的に又はイベント発生に応じてマクロ基地局でマクロ端末に伝送される。
【００６５】
前記ステップ８０１で、ＲＲＣ連結再構成メッセージが受信されたと判断した場合、前記マクロ端末は、ステップ８０３で、前記受信されたＲＲＣ連結再構成メッセージを用いて、ブランキングトリガ用測定報告構成とハンドオーバトリガ用測定報告構成を設定する。
【００６６】
その後、前記マクロ端末は、ステップ８０５で、隣接基地局の受信信号強度を測定し、ステップ８０７で、前記測定された受信信号強度値がピコ基地局毎の該当ピコ基地局のブランキングトリガ用測定報告構成の進入状態を満たすか否かを判断する。
【００６７】
前記ステップ８０７で、前記測定された受信信号強度値が隣接したピコ基地局のブランキングトリガ用測定報告構成の進入状態を満していないと判断した場合、前記マクロ端末は前記ステップ８０５に戻り、以下のステップを繰り返し行う。
【００６８】
一方、前記ステップ８０７で、前記測定された受信信号強度値が隣接したピコ基地局のブランキングトリガ用測定報告構成の進入状態を満たすと判断した場合、前記マクロ端末は、ステップ８０９で、該当ピコ基地局のブランキング動作の遂行のためにマクロ基地局に該当ピコ基地局のブランキングトリガ用測定報告構成に対応する測定識別子とブランキング領域内に進入したことを示す測定結果値を含む測定報告メッセージを伝送する。
【００６９】
その後、前記マクロ端末は、ステップ８１１で、隣接基地局の受信信号強度を測定し、ステップ８１３で、前記測定された受信信号強度値が前に前記マクロ端末に対してブランキング動作を行っていたピコ基地局のブランキングトリガ用測定報告構成の離脱状態を満たすか否かを判断する。
【００７０】
前記ステップ８１３で、前記測定された受信信号強度値が前に前記マクロ端末に対してブランキング動作を行っていたピコ基地局のブランキングトリガ用測定報告構成の離脱状態を満たすと判断した場合、前記マクロ端末は、ステップ８１７で、前記マクロ基地局に該当ピコ基地局のブランキングトリガ用測定報告構成に対応する測定識別子とブランキング領域を離脱したことを示す測定結果値を含む測定報告メッセージを伝送した後、本発明によるアルゴリズムを終了する。
【００７１】
一方、前記ステップ８１３で、前記測定された受信信号強度値が前に前記マクロ端末に対してブランキング動作を行っていたピコ基地局のブランキングトリガ用測定報告構成の離脱状態を満していないと判断した場合、ステップ８１５で、前記測定された受信信号強度値が隣接したピコ基地局のハンドオーバトリガ用測定報告構成の進入状態を満たすか否かを判断する。
【００７２】
前記ステップ８１５で、前記測定された受信信号強度値が隣接したピコ基地局のハンドオーバトリガ用測定報告構成の進入状態を満たすと判断した場合、前記マクロ端末は、ステップ８１９で、該当ピコ基地局のハンドオーバ準備手順の遂行のためにマクロ基地局に該当ピコ基地局のハンドオーバトリガ用測定報告構成に対応する測定識別子と測定結果値を含む測定報告メッセージを伝送した後、本発明によるアルゴリズムを終了する。
【００７３】
一方、前記ステップ８１５で、前記測定された受信信号強度値が隣接したピコ基地局のハンドオーバトリガ用測定報告構成の進入状態を満していないと判断した場合、前記マクロ端末は前記ステップ８１１に戻り、以下のステップを繰り返し遂行する。
【００７４】
図９は、本発明の第１実施形態による階層的セル構造を有する無線通信システムでのマクロ基地局の動作手順を示している。
【００７５】
前記図９を参照すると、マクロ基地局は、ステップ９０１で、マクロ端末にＲＲＣ連結再構成メッセージを伝送する。ここで、前記ＲＲＣ連結再構成メッセージは周期的に又はイベント発生に応じてマクロ基地局でマクロ端末に伝送され、前記マクロ端末は前記ＲＲＣ連結再構成メッセージを用いて、隣接したピコ基地局毎に該当ピコ基地局が使用する基地局識別子に対してブランキングトリガ用測定報告構成とハンドオーバトリガ用測定報告構成を設定できる。
【００７６】
その後、前記マクロ基地局は、ステップ９０３で、前記マクロ端末からピコ基地局のブランキングトリガ用測定報告構成に対応する測定識別子を含む測定報告メッセージが受信されたかを判断する。
【００７７】
前記ステップ９０３で、前記マクロ端末からピコ基地局のブランキングトリガ用測定報告構成に対応する測定識別子を含む測定報告メッセージが受信されたと判断した場合、前記マクロ基地局は、ステップ９０４で、測定対象の基地局の識別子がマクロ基地局であるか否かを判断する。
【００７８】
前記ステップ９０４で、測定対象の基地局の識別子がマクロ基地局であると判断した場合、前記マクロ基地局は前記ステップ９０３に戻り、以下のステップを繰り返し行う。
【００７９】
一方、前記ステップ９０４で、測定対象の基地局の識別子がマクロ基地局ではないと判断した場合、前記マクロ基地局は、ステップ９０５で前記受信された測定報告メッセージ内の測定結果値を確認し、ステップ９０７で前記確認された測定結果値がブランキング領域内に進入したことを示す進入状態であるか否かを判断する。
【００８０】
前記ステップ９０７で、前記確認された測定結果値がブランキング領域内に進入したことを示す進入状態であると判断した場合、前記マクロ基地局は、ステップ９０９でＭＭＥに原因値「Ｂｌａｎｋ  ＯＮ」が含まれたハンドオーバ要求メッセージを伝送し、ステップ９１１に進んでＭＭＥからハンドオーバ準備失敗メッセージを受信した後、前記ステップ９０３に戻り、以下のステップを繰り返し行う。
【００８１】
一方、前記ステップ９０７で、前記確認された測定結果値がブランキング領域から離脱したことを示す離脱状態であると判断した場合、前記マクロ基地局は、ステップ９１３で、ＭＭＥに原因値「Ｂｌａｎｋ  ＯＦＦ」が含まれたハンドオーバ要求メッセージを伝送して、９１４ステップに進んでＭＭＥからハンドオーバ準備失敗メッセージを受信した後、本発明によるアルゴリズムを終了する。
【００８２】
一方、前記ステップ９０３で、前記マクロ端末からピコ基地局のブランキングトリガ用測定報告構成に対応する測定識別子を含む測定報告メッセージが受信されていないと判断した場合、前記マクロ基地局は、ステップ９１５で、前記マクロ端末からピコ基地局のハンドオーバトリガ用測定報告構成に対応する測定識別子を含む測定報告メッセージが受信されたかを判断する。
【００８３】
前記ステップ９１５で、前記マクロ端末からピコ基地局のハンドオーバトリガ用測定報告構成に対応する測定識別子を含む測定報告メッセージが受信されていないと判断した場合、前記マクロ基地局は前記ステップ９０３に戻り、以下のステップを繰り返し行う。
【００８４】
一方、前記ステップ９１５で、前記マクロ端末からピコ基地局のハンドオーバトリガ用測定報告構成に対応する測定識別子を含む測定報告メッセージが受信されたと判断した場合、前記マクロ基地局は、ステップ９１７で、通常のハンドオーバ手順に沿ってＭＭＥにハンドオーバ用に定義された原因値が含まれたハンドオーバ要求メッセージを伝送する。その後、前記マクロ基地局は、ステップ９１９で、ＭＭＥから前記ハンドオーバ要請メッセージによるハンドオーバ命令メッセージを受信することができる。
【００８５】
その後、前記マクロ基地局は本発明によるアルゴリズムを終了する。
【００８６】
図１０は、本発明の第１実施形態による階層的セル構造を有する無線通信システムでのピコ基地局の動作手順を示している。
【００８７】
前記図１０を参照すると、ピコ基地局は、ステップ１００１で、ＭＭＥからハンドオーバ要請メッセージが受信されたかを判断する。
【００８８】
前記ステップ１００１で、ＭＭＥからハンドオーバ要請メッセージが受信されたと判断した場合、前記ピコ基地局は、ステップ１００３で、前記受信されたハンドオーバ要請メッセージ内の原因値を確認し、ステップ１００５で、前記確認された原因値がマクロ端末に対してブランキング動作の遂行が必要であることを知らせる「Ｂｌａｎｋ  ＯＮ」であるか否かを判断する。
【００８９】
前記ステップ１００５で、前記確認された原因値が「Ｂｌａｎｋ  ＯＮ」であると判断した場合、前記ピコ基地局は、ステップ１００７で、該当マクロ端末に対するブランキング動作の遂行に必要な無線リソースの量を可変に決定する。ここで、前記ピコ基地局はマクロ基地局からブランキング動作の遂行が必要という要請を受けた複数のマクロ端末が存在する場合、マクロ端末のそれぞれに対してブランキング動作の遂行に必要な無線リソースの量、例えば、サブ帯域の数（以下、「ブランキングサブ帯域の数」と称する）を決定し、これを結合して該当時点でのピコ基地局の全体ブランキングサブ帯域の数を決定する。その後、前記ピコ基地局は前記結合して決定された全体ブランキングサブ帯域の数とブランキングサブ帯域の数の最大値とを比較し、より小さい値分のサブ帯域の数を実際のブランキング動作の遂行に必要な無線リソースの量に決定できる。
【００９０】
その後、前記ピコ基地局は、ステップ１００９で、前記可変決定された無線リソースの量を用いて前記マクロ端末に対してブランキング動作を開始し、ステップ１０１１に進んでＭＭＥにハンドオーバ失敗メッセージを伝送した後、本発明によるアルゴリズムを終了する。
【００９１】
一方、前記ステップ１００５で、前記確認された原因値が「Ｂｌａｎｋ  ＯＮ」ではないと判断した場合、前記ピコ基地局は、ステップ１０１３で、前記確認された原因値が前記マクロ端末に対してブランキング動作の解除が必要であることを知らせる「Ｂｌａｎｋ  ＯＦＦ」であるか否かを判断する。
【００９２】
前記ステップ１０１３で、前記確認された原因値が「Ｂｌａｎｋ  ＯＦＦ」であると判断した場合、前記ピコ基地局は、ステップ１０１５で、該当マクロ端末に対してブランキング動作を終了し、前記ステップ１０１１に進んでＭＭＥにハンドオーバ失敗メッセージを伝送した後、本発明によるアルゴリズムを終了する。
【００９３】
一方、前記ステップ１０１３で、前記確認された原因値が「Ｂｌａｎｋ  ＯＦＦ」ではないと判断した場合、前記ピコ基地局は前記確認された原因値が前記マクロ端末に対するハンドオーバ準備手順の遂行が必要であることを知らせるハンドオーバ用の原因値であると判断し、ステップ１０１７で、ハンドオーバ準備手順を行い、ステップ１０１９で、該当ハンドオーバ手順が完了したか否かを判断する。
【００９４】
前記ステップ１０１９で、該当ハンドオーバ手順が完了したと判断した場合、前記ピコ基地局は１０２１ステップに進んで該当マクロ端末に対してブランキング動作を終了した後、本発明によるアルゴリズムを終了する。
【００９５】
図１１は、本発明の実施形態による階層的セル構造の無線通信システムでのマクロ端末のブロック構成を示している。
【００９６】
前記図１１を参照すると、前記マクロ端末はデュプレクサ１１００、送信部１１０２、受信部１１０４、報告情報測定部１１０６、リソース割り当て確認部１１０８を含んで構成される。
【００９７】
前記デュプレクサ１１００はデュプレックス方式に応じて送信部１１０２から提供された送信信号をアンテナを介して送信し、アンテナからの受信信号を受信部１１０４に提供する。
【００９８】
前記送信部１１０２は報告情報測定部１１０６から提供される伝送信号を高周波信号に変換して前記デュプレクサ１１００に提供し、前記受信部１１０４は前記デュプレクサ１１００から提供された受信信号を基底帯域信号に変換する。前記無線通信システムで直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を使用する場合、前記送信部１１０２は符号化器、ＯＦＤＭ変調器、デジタル／アナログ変換器及びＲＦ処理器を含んで構成され、前記受信部１１０４はＲＦ処理器、アナログ／デジタル変換器、ＯＦＤＭ復調器、復号化器を含んで構成される。
【００９９】
前記報告情報測定部１１０６は前記受信部１１０４を介してマクロ基地局からＲＲＣ連結再構成メッセージを受信し、前記受信されたＲＲＣ連結再構成メッセージを用いて、ブランキングトリガ用測定報告構成とハンドオーバトリガ用測定報告構成を設定する。その後、前記報告情報測定部１１０６はあらかじめ設定された周期ごとに隣接基地局の受信信号強度を測定し、前記測定された受信信号強度値がブランキングトリガ用測定報告構成の基準受信信号強度値の範囲内に存在すると判断した場合、該当ピコ基地局のブランキング動作の遂行のために該当ピコ基地局のブランキングトリガ用測定報告構成に対応する測定識別子とブランキング領域内に進入したことを示す測定結果値「Ｅｎｔｅｒｉｎｇ  Ｃｏｎｄ．」を含む測定報告メッセージを生成して前記送信部１１０２及びデュプレクサ１１００を介してマクロ基地局に伝送する。また、前記報告情報測定部１１０６は、前記測定された受信信号強度値が前に前記マクロ端末に対してブランキング動作を行っていたピコ基地局のブランキングトリガ用測定報告構成の基準受信信号強度値の範囲から離脱したと判断した場合、該当ピコ基地局のブランキングトリガ用測定報告構成に対応する測定識別子とブランキング領域を離脱したことを示す測定結果値「Ｌｅａｖｉｎｇ  Ｃｏｎｄ．」を含む測定報告メッセージを生成して前記送信部１１０２及びデュプレクサ１１００を介してマクロ基地局に伝送する。また、前記報告情報測定部１１０６は、前記測定された受信信号強度値が隣接したピコ基地局のハンドオーバトリガ用測定報告構成の基準受信信号強度値より大きいと判断した場合、該当ピコ基地局のハンドオーバ準備手順の遂行のために該当ピコ基地局のハンドオーバトリガ用測定報告構成に対応する測定識別子を含む測定報告メッセージを生成して前記送信部１１０２及びデュプレクサ１１００を介してマクロ基地局に伝送する。
【０１００】
前記リソース割り当て確認部１１０８は前記受信部１１０４を介してマクロ基地局からリソース割り当てメッセージを受信し、前記リソース割り当てメッセージを介してマクロ端末自らに割り当てられたリソースを確認した後、前記割り当てられたリソースを介して前記サービングマクロ基地局とデータ送受信を行うようにする。
【０１０１】
図１２は、本発明の実施形態による階層的セル構造の無線通信システムでのマクロ基地局のブロック構成を示している。
【０１０２】
前記図１２を参照すると、前記マクロ基地局はデュプレクサ１２００、送信部１２０２、受信部１２０４、スケジューラ１２０６、報告情報管理部１２０８、ハンドオーバ制御部１２１０、ハンドオーバ関連メッセージ送受信部１２１２を含んで構成される。
【０１０３】
前記デュプレクサ１２００はデュプレックス方式に応じて送信部１２０２から提供された送信信号をアンテナを介して送信し、アンテナからの受信信号を受信部１２０４に提供する。
【０１０４】
前記送信部１２０２はスケジューラ１２０６又は報告情報管理部１２０８から提供される伝送信号を高周波信号に変換して前記デュプレクサ１２００に提供し、前記受信部１２０４は前記デュプレクサ１２００から提供された受信信号を基底帯域信号に変換する。例えば、前記無線通信システムで直交周波数分割多重方式を使用する場合、前記送信部１２０２は符号化器、ＯＦＤＭ変調器、デジタル／アナログ変換器及びＲＦ処理器を含んで構成され、前記受信部１２０４はＲＦ処理器、アナログ／デジタル変換器、ＯＦＤＭ復調器、復号化器を含んで構成される。
【０１０５】
前記スケジューラ１２０６はマクロ端末にサービスを提供するためのスケジュールリングを行う。
【０１０６】
前記報告情報管理部１２０８はＲＲＣ連結再構成メッセージを生成して前記送信部１２０２及びデュプレクサ１２００を介してマクロ端末に伝送する。この時、前記マクロ端末は前記ＲＲＣ連結再構成メッセージを用いて、ブランキングトリガ用測定報告構成とハンドオーバトリガ用測定報告構成を設定できる。その後、前記報告情報管理部１２０８は前記デュプレクサ１２００及び受信部１２０４を介して前記マクロ端末からピコ基地局のブランキングトリガ用測定報告構成に対応する測定識別子とブランキング領域内に進入したことを示す測定結果値「Ｅｎｔｅｒｉｎｇ  Ｃｏｎｄ．」を含む測定報告メッセージが受信されたと判断した場合、原因値「Ｂｌａｎｋ  ＯＮ」をハンドオーバ制御部１２１０に提供する。この時、前記ハンドオーバ制御部１２１０は前記原因値「Ｂｌａｎｋ  ＯＮ」が含まれたハンドオーバ要求メッセージを生成してハンドオーバ関連メッセージ送受信部１２１２を介してＭＭＥに伝送する。その後、前記ハンドオーバ制御部１２１０はハンドオーバ関連メッセージ送受信部１２１２を介してＭＭＥからハンドオーバ準備失敗メッセージを受信することができる。また、前記報告情報管理部１２０８は前記デュプレクサ１２００及び受信部１２０４を介して前記マクロ端末からピコ基地局のブランキングトリガ用測定報告構成に対応する測定識別子とブランキング領域から離脱したことを示す測定結果値「Ｌｅａｖｉｎｇ  Ｃｏｎｄ．」を含む測定報告メッセージが受信されたと判断した場合、原因値「Ｂｌａｎｋ  ＯＦＦ」をハンドオーバ制御部１２１０に提供する。この時、前記ハンドオーバ制御部１２１０は前記原因値「Ｂｌａｎｋ  ＯＦＦ」が含まれたハンドオーバ要求メッセージを生成してハンドオーバ関連メッセージ送受信部１２１２を介してＭＭＥに伝送する。その後、前記ハンドオーバ制御部１２１０はハンドオーバ関連メッセージ送受信部１２１２を介してＭＭＥからハンドオーバ準備失敗メッセージを受信することができる。また、前記報告情報管理部１２０８は前記デュプレクサ１２００及び受信部１２０４を介して前記マクロ端末からピコ基地局のハンドオーバトリガ用測定報告構成に対応する測定識別子を含む測定報告メッセージが受信されたと判断した場合、前記ハンドオーバ用に定義された原因値をハンドオーバ制御部１２１０に提供する。この時、前記ハンドオーバ制御部１２１０は前記ハンドオーバ用に定義された原因値が含まれたハンドオーバ要求メッセージを生成してハンドオーバ関連メッセージ送受信部１２１２を介してＭＭＥに伝送する。その後、前記ハンドオーバ制御部１２１０はハンドオーバ関連メッセージ送受信部１２１２を介してＭＭＥから前記ハンドオーバ要求メッセージによるハンドオーバ命令メッセージを受信することができる。
【０１０７】
前記ハンドオーバ制御部１２１０はハンドオーバ関連メッセージの生成及び処理を制御する。
【０１０８】
前記ハンドオーバ関連メッセージ送受信部１２１２はＭＭＥを介してピコ基地局とハンドオーバ関連メッセージを送受信する。
【０１０９】
図１３は、本発明の実施形態による階層的セル構造の無線通信システムでのピコ基地局のブロック構成を示している。
【０１１０】
前記図１３を参照すると、前記ピコ基地局はデュプレクサ１３００、送信部１３０２、受信部１３０４、スケジューラ１３０６、ブランキング制御部１３０８、ハンドオーバ制御部１３１０、ハンドオーバ関連メッセージ送受信部１３１２を含んで構成される。
【０１１１】
前記デュプレクサ１３００はデュプレックス方式に応じて送信部１３０２から提供された送信信号をアンテナを介して送信し、アンテナからの受信信号を受信部１３０４に提供する。
【０１１２】
前記送信部１３０２はスケジューラ１３０６から提供される伝送信号を高周波信号に変換して前記デュプレクサ１３００に提供し、前記受信部１３０４は前記デュプレクサ１３００から提供された受信信号を基底帯域信号に変換する。例えば、前記無線通信システムで直交周波数分割多重方式を使用する場合、前記送信部１３０２は符号化器、ＯＦＤＭ変調器、デジタル／アナログ変換器及びＲＦ処理器を含んで構成され、前記受信部１３０４はＲＦ処理器、アナログ／デジタル変換器、ＯＦＤＭ復調器、復号化器を含んで構成される。
【０１１３】
前記スケジューラ１３０６はピコ端末にサービスを提供するためのスケジュールリングを行う。
【０１１４】
前記ブランキング制御部１３０８はハンドオーバ制御部１３１０からマクロ端末に対してブランキング動作の遂行が必要であることを知らせる原因値「Ｂｌａｎｋ  ＯＮ」が提供される時、該当マクロ端末に対するブランキング動作の遂行に必要な無線リソースの量を可変に決定し、前記可変に決定された無線リソースの量を用いて前記マクロ端末に対してブランキング動作を開始した後、前記ハンドオーバ制御部１３１０にハンドオーバ失敗メッセージを生成してＭＭＥに伝送するようにする。また、前記ブランキング制御部１３０８はハンドオーバ制御部１３１０から前記マクロ端末に対してブランキング動作の解除が必要であることを知らせる原因値「Ｂｌａｎｋ  ＯＦＦ」が提供される時、該当マクロ端末に対してブランキング動作を終了した後、前記ハンドオーバ制御部１３１０にハンドオーバ失敗メッセージを生成してＭＭＥに伝送するようにする。また、前記ブランキング制御部１３０８はハンドオーバ制御部１３１０から前記マクロ端末に対するハンドオーバ準備手順の遂行が必要であることを知らせるハンドオーバ用に定義された原因値が提供される時、前記ハンドオーバ制御部１３１０にハンドオーバ要請ＡＣＫメッセージを生成してＭＭＥに伝送するようにした後、該当マクロ端末に対してブランキング動作を終了する。この時、前記スケジューラ１３０６は前記ブランキング動作の開始又は解除に応じてピコ端末にスケジューリング可能な無線リソースの量を可変に決定できる。
【０１１５】
前記ハンドオーバ制御部１３１０はハンドオーバ関連メッセージの生成及び処理を制御する。特に、前記ハンドオーバ制御部１３１０はハンドオーバ関連メッセージ送受信部１３１２を介してＭＭＥからハンドオーバ要請メッセージを受信し、前記受信されたハンドオーバ要請メッセージ内の原因値を確認してブランキング制御部１３０８に提供する。
【０１１６】
前記ハンドオーバ関連メッセージ送受信部１３１２はＭＭＥを介してマクロ基地局とハンドオーバ関連メッセージを送受信する。
【０１１７】
一方、本発明を実施するための形態では具体的な実施形態について説明したが、本発明の範囲から逸脱しない限度内で様々な変形が可能であることは無論である。したがって本発明の範囲は説明された実施形態に限定されて定められてはならず、後述する特許請求の範囲のみでなくこの特許請求の範囲と均等なものによって定められるべきである。
【符号の説明】
【０１１８】
２００  マクロセル
２０２，３００  マクロ基地局
２２２，３１０  マクロ端末
２１０  ピコセル
２１２，３３０  ピコ基地局
３２０  ＭＭＥ
【図１】
2013526820.tif 000003
【図２】
2013526820.tif 000004
【図３】
2013526820.tif 000005
【図４】
2013526820.tif 000006
【図５】
2013526820.tif 000007
【図６】
2013526820.tif 000008
【図７】
2013526820.tif 000009
【図８Ａ】
2013526820.tif 000010
【図８Ｂ】
2013526820.tif 000011
【図９Ａ】
2013526820.tif 000012
【図９Ｂ】
2013526820.tif 000013
【図１０】
2013526820.tif 000014
【図１１】
2013526820.tif 000015
【図１２】
2013526820.tif 000016
【図１３】
2013526820.tif 000017
【国際調査報告】
2013526820.tif 000018
2013526820.tif 000019